(57)【特許請求の範囲】
【請求項１】
液体が一定方向に流れる流路の底面に起伏自在に軸支され前記流路の下流側の液体が増加すると浮力によって起立して前記流路を閉止する扉体と、前記流路の内側面に貼着された戸当り部材と前記扉体の側縁部との間の漏液を防ぐため前記扉体の両側縁部に付設された側部密閉部材と、前記流路の底面と前記扉体の下縁部との間の漏液を防ぐため前記扉体の軸支部分を前記流路の上流側から覆った状態で前記流路を横断する方向に配置され前記扉体の起立動作に伴って褶曲可能な可撓性の下部密閉部材と、を備え、前記側部密閉部材の側縁部には、平板状の固定部からそれぞれ斜め上方、斜め下方に突出する上突縁部、下突縁部が固定部と一体形成され、前記下部密閉部材の側縁部に、前記流路の内側面に当接した状態で摺動可能な閉止手段を設けたことを特徴とする逆流防止ゲート。
【発明の詳細な説明】
【技術分野】
【０００１】
本発明は、河川管理施設として、樋門や樋管などに設置される逆流防止ゲート、詳しくは、漏水防止機能を有する逆流防止ゲートに関する。
【背景技術】
【０００２】
台風や集中豪雨などによって河川が増水したときの逆流を防止するための河川管理施設として、樋門や樋管などには、逆流防止ゲートが設置されている。従来の逆流防止ゲートとしては、水量の増減に応じて扉体を上下方向にスライドさせることによって水路を開閉する方式あるいは河川の水量の増減に応じて起伏する扉体によって水路を開閉する方式（例えば、特許文献１〜３参照。）などが知られている。
【先行技術文献】
【特許文献】
【０００３】
【特許文献１】特開平１０−１５２８２７号公報
【特許文献２】特開平１０−２５２０４３号公報
【特許文献３】特開２００７−１４６６０９号公報
【発明の概要】
【発明が解決しようとする課題】
【０００４】
特許文献１〜３などに記載されている起伏式ゲートは、河川の水量の増減に対応して扉体が起伏する機能を有し、増水時は自動的に扉体が起立して水路を閉止して逆流を防止することができる点において優れている。しかしながら、扉体閉止時の漏水防止機能に対する要請は年々高まっており、特に、扉体の軸支部分を覆う可撓性密閉部材と流路の内側面との間の漏水防止機能に関しては、従来の起伏式ゲートは不完全であるのが実状である。
【０００５】
本発明が解決しようとする課題は、扉体の軸支部分を覆う下部密閉部材と流路の内側面との間の漏液防止機能に優れた逆流防止ゲートを提供することにある。
【課題を解決するための手段】
【０００６】
本発明の逆流防止ゲートは、液体が一定方向に流れる流路の底面に起伏自在に軸支され前記流路の下流側の液体が増加すると浮力によって起立して前記流路を閉止する扉体と、前記流路の内側面に貼着された戸当り部材と前記扉体の側縁部との間の漏液を防ぐため前記扉体の両側縁部に付設された側部密閉部材と、前記流路の底面と前記扉体の下縁部との間の漏液を防ぐため前記扉体の軸支部分を前記流路の上流側から覆った状態で前記流路を横断する方向に配置され前記扉体の起立動作に伴って褶曲可能な可撓性の下部密閉部材と、を備え、前記側部密閉部材の側縁部には、平板状の固定部からそれぞれ斜め上方、斜め下方に突出する上突縁部、下突縁部が固定部と一体形成され、前記下部密閉部材の側縁部に、前記流路の内側面に当接した状態で摺動可能な閉止手段を設けたことを特徴とする。
【０００７】
このような構成とすれば、扉体の軸支部分を覆う下部密閉部材が、扉体の起立動作に伴って褶曲したときの下部密閉部材の側縁部と流路の内側面との密閉性を高レベルで維持することができるので、優れた漏液防止機能を発揮する。
【０００８】
ここで、前記閉止手段として、前記下部密閉部材の褶曲面と交差する方向に突出する突縁部を設けることが望ましい。このような構成とすれば、簡素な形状でありながら、高度の漏液防止機能を得ることができる。
【０００９】
前記下部密閉部材の褶曲面の内側に突出するように突縁部を設けることが望ましい。このような構成とすれば、扉体が起立して下部密閉部材が褶曲したとき、その褶曲面の内側が流路下流側の液体に面するため、逆流方向の液圧によって突縁部が流路の内側面に押圧された状態となって密閉性が高まる結果、漏液が発生せず、漏液防止機能を高めることができる。
【発明の効果】
【００１０】
本発明により、扉体の軸支部分を覆う下部密閉部材と流路の内側面との間の漏液防止機能に優れた逆流防止ゲートを提供することができる。
【図面の簡単な説明】
【００１１】
【図１】本発明の実施形態である逆流防止ゲートを示す垂直断面図である。
【図２】図１に示す逆流防止ゲートの扉体付近の一部拡大図である。
【図３】図１に示す逆流防止ゲートの軸支部分の一部拡大図である。
【図４】図３における矢線Ａ方向から見た一部省略斜視図である。
【図５】図１に示す逆流防止ゲートの扉体に付設される下縁密閉部材及び側縁密閉部材を一部省略して示す図である。
【図６】図５における矢線Ｂ方向から見た図である。
【図７】図５におけるＣ−Ｃ線断面図である。
【図８】図５におけるＤ−Ｄ線断面図である。
【発明を実施するための形態】
【００１２】
図１〜図４に示すように、本実施形態の逆流防止ゲート１０は、液体である水が一定方向Ｕに流れる流路１１の底面１２に支承部材１３を介して起伏自在に軸支され流路１１の下流側の水量が増加すると浮力によって起立して流路１１を閉止する扉体１４と、流路１１の内側面１５に貼着された戸当たり部材１６と扉体１４の側縁部１４ａとの間の漏水を防ぐため扉体１４の両側縁部１４ａに付設された側部密閉部材１７と、流路１１の底面１２と扉体１４の下縁部１４ｂとの間の漏水を防ぐため扉体１４の軸支部分１８を流路１１の上流側から覆った状態で流路１１を横断する方向に配置された可撓性の下部密閉部材１９と、を備えている。
【００１３】
また、流路１１の内側面１５に貼着された戸当たり部材１６と下部密閉部材１９の側縁部２０との間の漏水防止機能を高めるため、流路１１の内側面１５の戸当たり部材１６に当接した状態で摺動可能な閉止手段である突縁部２１が、下部密閉部材１９の側縁部２０に設けられている。
【００１４】
平常時は、扉体１４は流路１１の下流側に傾斜した状態にあり、流路１１内の水は上流側から下流側に向かって扉体１４の上縁部１４ｃを越流しながら一定方向Ｕに流れる。一方、台風や集中豪雨などにより流路１１の下流側が増水して逆流Ｒが生じると、図１に示すように、浮力によって起立した扉体１４によって流路１１が閉止される。前述した側部密閉部材１７及び下部密閉部材１９は、扉体１４が流路１１を閉止した状態にあるとき、下流側からの逆流Ｒによる漏水を防止するために設けられている。
【００１５】
ここで、図５〜図８に基づいて、側部密閉部材１７及び下部密閉部材１９について説明する。図５示すように、可撓性を有する板状ゴム材で形成された下部密閉部材１９の両側縁部２０に、それぞれ同材料で形成された一対の側部密閉部材１７を略同一平面をなすように接着して一体化することによってコ字状の部材が形成されている。図２〜図４に示すように、扉体１４の上流側面の側縁部１４ａ、下縁部１４ｂに沿ってそれぞれ側部密閉部材１７、下部密閉部材１９を配置し、側部密閉部材１７及び下部密閉部材１９の上縁部１９ａの上面にそれぞれ押圧部材２２，２３をネジＮで締め付けることにより扉体１４に固定されている。また、下部密閉部材１９の下縁部１９ｂは流路１１の底面１２に配置され、下縁部１９ｂの上面に押圧部材２４をネジＮで締め付けることによって底面１２に固定されている。
【００１６】
図６，図７に示すように、側部密閉部材１７の側縁部１７ａには、平板状の固定部１７ｂからそれぞれ斜め上方、斜め下方に突出する上突縁部１７ｃ、下突縁部１７ｄが固定部１７ｂと一体形成され、その断面形状は略Ｙ字状をなしている。
【００１７】
図３，図４及び図８に示すように、下部密閉部材１９の側縁部２０には、下部密閉部材１９の褶曲面と交差する方向に突出するような形状、即ち、扉体１４が起立して下部密閉部材１９が褶曲したとき、その褶曲面の内側に突出するような形状の突縁部２１が下部密閉部材１９の褶曲部１９ｃと一体的に形成されている。
【００１８】
逆流防止ゲート１０において、図１〜図３に示すように、流路１１の下流側の増水により扉体１４が起立して流路１１が閉止されたとき、扉体１４の軸支部分１８を覆う下部密閉部材１９の突縁部２１が、扉体１４の起立動作に伴って褶曲したときの下部密閉部材１９の側縁部２０と流路１１の内側面１５の戸当たり部材１６との密閉性を高レベルで維持するので、優れた漏水防止機能を発揮する。
【００１９】
突縁部２１は、下部密閉部材１９の褶曲面と交差する方向である、褶曲面の内側に突出方向に形成されているため、扉体１４が起立して下部密閉部材１９が褶曲したとき、その褶曲面の内側が流路１１下流側の水に面するため、逆流Ｒ方向の液圧によって突縁部２１が戸当たり部材１６に押圧された状態となって密閉性が高まり、漏水防止機能を高めることができる。
【産業上の利用可能性】
【００２０】
本発明の逆流防止ゲートは、樋門や樋管などに設置される河川管理施設として、広く利用することができる。
【符号の説明】
【００２１】
１０  逆流防止ゲート
１１  流路
１２  底面
１３  支承部材
１４  扉体
１４ａ，２０  側縁部
１４ｂ  下縁部
１４ｃ  上縁部
１５  内側面
１６  戸当たり部材
１７  側部密閉部材
１８  軸支部分
１９  下部密閉部材
２１  突縁部
２２，２３，２４  押圧部材
Ｎ  ネジ
Ｒ  逆流
Ｕ  一定方向
【図１】
0005770035.tif 000002
【図２】
0005770035.tif 000003
【図３】
0005770035.tif 000004
【図４】
0005770035.tif 000005
【図５】
0005770035.tif 000006
【図６】
0005770035.tif 000007
【図７】
0005770035.tif 000008
【図８】
0005770035.tif 000009